【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
燈体を構成するハウジングを、光源が収用される筒状の光源収容部と外部コネクタが嵌着する筒状のカプラ部とが筒軸方向直交状とし、これら光源収容部と外部コネクタとに、Ｌ字形に形成された一対の端子部材を連通状にインサートするよう金型を用いて射出成形するにあたり、各端子部材は、光源収容部側に突出して光源を保持する一対の光源保持片と、これら光源保持片側への樹脂材の流入を回避する側片とが、各側片と光源保持片とのあいだに所定間隙を存する状態で形成されるものとし、光源収容部側から突き当てられる金型には、各端子部材の外嵌部に、前記所定間隙に挿入して端子部材の変形を防止する突き当て片が突出形成されている燈体成形用の金型。
【請求項２】
端子部材は、ハウジングの光源収容部の筒軸方向に直交する側片を備えて構成されるものとし、金型の突き当て片は、先端面が前記側片に突き当てられるように構成されている請求項１に記載の燈体成形用の金型。
【請求項３】
燈体は、可動型と固定型とを用い、レンズとハウジングとを一次射出により成形し、可動型の移動によりレンズとハウジングとを対向させ、二次射出によりレンズとハウジングとを一体化するものとし、固定型に光源収容部側から突き当てられる金型を配設する一方、前記金型の突き当て片は、一次射出するときに端子部材を保持する保持片に兼用されている請求項１または２に記載の燈体成形用の金型。
【手続補正２】
【補正対象書類名】明細書
【補正対象項目名】０００５
【補正方法】変更
【補正の内容】
【０００５】
本発明は、上記の如き実情に鑑みこれらの課題を解決することを目的として創作されたものであって、請求項１の発明は、燈体を構成するハウジングを、光源が収用される筒状の光源収容部と外部コネクタが嵌着する筒状のカプラ部とが筒軸方向直交状とし、これら光源収容部と外部コネクタとに、Ｌ字形に形成された一対の端子部材を連通状にインサートするよう金型を用いて射出成形するにあたり、各端子部材は、光源収容部側に突出して光源を保持する一対の光源保持片と、これら光源保持片側への樹脂材の流入を回避する側片とが、各側片と光源保持片とのあいだに所定間隙を存する状態で形成されるものとし、光源収容部側から突き当てられる金型には、各端子部材の外嵌部に、前記所定間隙に挿入して端子部材の変形を防止する突き当て片が突出形成されている燈体成形用の金型である。
請求項２の発明は、端子部材は、ハウジングの光源収容部の筒軸方向に直交する側片を備えて構成されるものとし、金型の突き当て片は、先端面が前記側片に突き当てられるように構成されている請求項１に記載の燈体成形用の金型である。
請求項３の発明は、燈体は、可動型と固定型とを用い、レンズとハウジングとを一次射出により成形し、可動型の移動によりレンズとハウジングとを対向させ、二次射出によりレンズとハウジングとを一体化するものとし、固定型に光源収容部側から突き当てられる金型を配設する一方、前記金型の突き当て片は、一次射出するときに端子部材を保持する保持片に兼用されている請求項１または２に記載の燈体成形用の金型である。
【手続補正３】
【補正対象書類名】明細書
【補正対象項目名】０００８
【補正方法】変更
【補正の内容】
【０００８】
さて、ハウジング４は、フランジ部４ｃのボディＢに対向する側の面となるボディ対向面部４ｄに、光源収容部４ａを挟んで長手方向一方側であって、カプラ部４ｂが延出する側に位置して弾性係止片４ｅが一体形成される一方、他端側に位置して固定係止片４ｆが一体的に突出形成されている。そして、ランプ１は、カプラ部４ｂおよび光源収容部４ａを取り付け孔Ｂ１に嵌入した状態とし、弾性係止片４ｅを取り付け孔Ｂ１の一端側に、固定係止片４ｆを取り付け孔Ｂ１の他端側に位置させた状態とし、弾性係止片４ｅを弾性変形させることにより取り付け孔Ｂ１に止着されるように設定されている。このため、フランジ部４ｃのボディ対向面部４ｄには、弾性係止片４ｅの弾性変形を許容するべく反ボディＢ側に向けて凹設された凹状部４ｇが形成されている。そして、本実施の形態の凹状部４ｇは、フランジ部４ｃの長手方向に直交する幅方向内側において形成され、かつ、その溝底面の形状は、内側ほど溝深となる傾斜面で、かつ、幅方向中央部において最も溝深となるＶ溝形状に形成されている。
【手続補正４】
【補正対象書類名】明細書
【補正対象項目名】００１７
【補正方法】変更
【補正の内容】
【００１７】
そして、このものにおいて、前記第二金型８に形成される第一、第二、第三、第四突き当て片８ａ、８ｂ、８ｃ、８ｄは、予め接続端子３を保持する部材に兼用されている。即ち、前記第一、第二、第三、第四突き当て片８ａ、８ｂ、８ｃ、８ｄは、接続端子３に形成される一対のバルブ支持片３ａと各側片３ｂ、３ｃ、３ｄとのあいだにそれぞれ入り込むことにより、バルブ支持片３ａが第三突き当て片８ｃに対して僅かに弾性変形せしめられる状態で保持されるように構成されている。これによって、一次射出による樹脂材の射出の前の段階で、図３に示すように、接続端子３を第一、第二、第三、第四突き当て片８ａ、８ｂ、８ｃ、８ｄを用いて第二上金型８に確実に保持させることができ、この状態で、前記第二上金型８と第一上金型７に対し下金型９、左、右金型１０、１１、前金型１２を突き当て状に組み込んで樹脂材を射出することにより、接続端子３がインサートモールドされたハウジング４を形成できるように設定されている。この結果、第一、第二、第三、第四突き当て片８ａ、８ｂ、８ｃ、８ｄは、接続端子３を保持するとともに、接続端子３を射出圧に基づく変形から保護することができるように設定されている。
また、カプラ部４ｂの筒孔を形成するための前金型１２は、接続端子３のコネクタ接続片３ｇの先端部であって、カプラ部４ｂに露出する部位が嵌入するための嵌合孔１２ａが形成されている。
【手続補正５】
【補正対象書類名】明細書
【補正対象項目名】００２１
【補正方法】変更
【補正の内容】
【００２１】
続いて、可動架台１４を固定架台１３側（上方）に移動（変位）させ、図６、７に示すように、レンズ用上金型１５とレンズ用下金型１６とを突き当てた状態として型合わせするとともに、第一、第二上金型７、８に対して下金型９、左、右側金型１０、１１、前金型１２とをそれぞれ前述したように所定の姿勢で突き当てた状態として型合わせする。そして、前記型合せ状態において、第一、第二ゲート１７、１８からそれぞれ樹脂材を射出することにより、一次射出成形品として、接続端子３がインサートモールドされた状態のハウジング４とともにレンズ５が同時に形成される。
このように、成形品であるハウジング４とレンズ５とが、互いに突き当てられた各金型７、８、９、１０、１１、１２、１５、１６同士のあいだに位置する状態から可動架台１３を下動させて、固定架台１３側の第一、第二上金型７、８と可動架台１４側の各金型９、１０、１１、１２とを離間させるが、このとき、成形品であるハウジング４は可動架台１３側に、レンズ５は固定架台１４側にそれぞれ残すように設定されている。
【手続補正６】
【補正対象書類名】明細書
【補正対象項目名】００２３
【補正方法】変更
【補正の内容】
【００２３】
叙述の如く構成された本形態において、ハウジング４は、型移動を伴う射出成形により一次射出においてレンズ５とともに形成されるが、このとき、ハウジング４にはＬ字形に形成された接続端子３がインサートモールドされている。この場合に、接続端子３は、バルブ保持部３ａと、該バルブ保持部３ａを囲繞するように配される各側片３ｂ、３ｃ、３ｄ、３ｅとのあいだに形成される第一、第二、第三、第四間隙Ｓ１、Ｓ２、Ｓ３、Ｓ４に、第二上金型８に形成された第一、第二、第三、第四突き当て片８ａ、８ｂ、８ｃ、８ｄが嵌入した状態で射出成形されるので、接続端子３の一方のプレート面に樹脂材が射出されるような箇所、即ち、左側片３ｂ、前側片３ｃ、後側片３ｄの下端側の一部、および、底側片３ｅが樹脂材の射出圧を受けても、第一、第二、第三、第四突き当て片８ａ、８ｂ、８ｃ、８ｄにより前記射出圧を受けることができて、各側片３ｂ、３ｃ、３ｄ、３ｅの変形や、接続端子３の位置ズレを防止することができ、信頼性の高いランプ１を提供できるものでありながら、歩留まりよく成形することができてコスト低下に寄与できる。しかも、接続端子３の肉厚を殊更厚くしなくても変形の惧れがないので、コンパクト化を果すことも可能となる。